(57)【要約】【課題】自動で画質調整する機能を有する場合であっても、利用者の操作に基づく画質調整の反映の程度を利用者が容易に判別できる映像表示装置、及び映像表示方法を提供する。【解決手段】映像表示装置は、外部環境を計測して計測値を出力するセンサと、映像信号、及びセンサの計測する計測値に基づいて第１の画質調整設定値を決定する自動画質調整部と、操作部の操作内容に基づいて第２の画質調整設定値を決定する利用者画質調整部と、第１の画質調整設定値、及び第２の画質調整設定値に基づいて、入力される映像信号の画質調整を行う画質処理部と、利用者画質調整部が動作する時、利用者画質調整部の動作前の自動画質調整部の第１の画質調整設定値を保存するとともに自動画質調整部の動作を停止させ、利用者画質調整部の動作が完了した時、保存した第１の画質調整設定値とともに第２の画質調整設定値に基づいて画質処理部を動作させる制御部とを有する。【選択図】図２
2009198653.tif 000002
【特許請求の範囲】
【請求項１】
映像信号に基づいて第１の画質調整設定値を決定する自動画質調整部と、
操作部の操作内容に基づいて第２の画質調整設定値を決定する利用者画質調整部と、
前記第１の画質調整設定値、及び前記第２の画質調整設定値に基づいて、前記映像信号の画質調整を行う画質処理部と、
前記利用者画質調整部が動作する時、前記利用者画質調整部の動作前の前記自動画質調整部の前記第１の画質調整設定値を保存するとともに前記自動画質調整部の動作を停止させ、前記利用者画質調整部の動作が完了した時、保存した前記第１の画質調整設定値とともに前記第２の画質調整設定値に基づいて前記画質処理部を動作させる制御部とを有することを特徴とする映像表示装置。
【請求項２】
前記制御部は、前記自動画質調整部の動作を停止させた後、前記映像信号を静止画に変換することを特徴とする請求項１に記載の映像表示装置。
【請求項３】
前記自動画質調整部は、前記映像信号のフレーム間差分に基づいて前記第１の画質調整設定値を決定することを特徴とする請求項１に記載の映像表示装置。
【請求項４】
外部環境を計測して計測値を出力するセンサと、
映像信号、及び前記センサの計測する前記計測値に基づいて第１の画質調整設定値を決定する自動画質調整部と、
操作部の操作内容に基づいて第２の画質調整設定値を決定する利用者画質調整部と、
前記第１の画質調整設定値、及び前記第２の画質調整設定値に基づいて、入力される映像信号の画質調整を行う画質処理部と、
前記利用者画質調整部が動作する時、前記利用者画質調整部の動作前の前記自動画質調整部の前記第１の画質調整設定値を保存するとともに前記自動画質調整部の動作を停止させ、前記利用者画質調整部の動作が完了した時、保存した前記第１の画質調整設定値とともに前記第２の画質調整設定値に基づいて前記画質処理部を動作させる制御部とを有することを特徴とする映像表示装置。
【請求項５】
前記センサは、前記外部環境として照度を計測することを特徴とする請求項４に記載の映像表示装置。
【請求項６】
前記制御部は、前記自動画質調整部の動作を停止させた後、前記映像信号を静止画に変換することを特徴とする請求項４に記載の映像表示装置。
【請求項７】
前記自動画質調整部は、前記映像信号のフレーム間差分に基づいて前記第１の画質調整設定値を決定することを特徴とする請求項４に記載の映像表示装置。
【請求項８】
前記画質処理部が出力する映像信号を表示する表示部をさらに有することを特徴とする請求項１又は請求項４に記載の映像表示装置。
【請求項９】
外部環境を計測して計測値を出力する計測ステップと、
入力される映像信号、及び前記計測値に基づいて第１の画質調整設定値を決定する自動画質調整ステップと、
前記自動画質調整ステップにおいて決定された前記第１の画質調整設定値を保存するとともに前記自動画質調整ステップを停止させる保存ステップと、
操作部の操作内容に基づいて第２の画質調整設定値を決定する利用者画質調整ステップと、
保存した前記第１の画質調整設定値とともに前記第２の画質調整設定値を適用する適用ステップと、
入力される画質調整設定値に基づいて、前記映像信号の画質調整を行う画質処理ステップとを有することを特徴とする映像表示方法。
【発明の詳細な説明】
【技術分野】
【０００１】
本発明は、映像表示装置、及び映像表示方法に関する。
【背景技術】
【０００２】
従来の技術として、表示部に視聴映像と調整用画像とを同時に表示して利用者の操作に基づき画質調整を実行する映像表示装置がある（例えば、特許文献１参照）。
【０００３】
この映像表示装置は、映像を表示する表示部と、視聴映像の映像処理、及び画質調整を行う主画面映像処理部と、調整用画像の映像処理、及び画質調整を行う調整画面画像処理部と、主画面映像処理部、及び調整画面画像処理部の出力する映像を１つの画面に挿入して表示部に出力する２画面挿入回路部と、操作部の操作信号に基づいて各部を制御する制御部とを有し、操作部において画質調整開始を要求する操作がなされた場合には、視聴映像と調整用画像とを表示部に表示し、操作部において画質調整の操作がなされた場合には、調整用画像に画質調整を反映し、画質調整の操作が完了すると視聴映像にも画質調整が反映する。これにより、視聴映像が見にくくなるような画質調整を直接反映することなく画質調整を容易に行うことができる。また、調整用画像は、調整用画像パターン、静止画、及び視聴映像から選択でき、視聴映像が選択された場合には調整用画像にのみ画質調整を反映することで画質調整の反映前後の変化を確認することができる。
【特許文献１】特開２００７−３２５０９１号公報
【発明の開示】
【発明が解決しようとする課題】
【０００４】
しかし、従来の映像表示装置によると、映像ソースや外部環境等に基づいて利用者の操作に関わらず自動で画質調整を行う機能を有する場合、画質調整中に視聴映像、及び調整用画像が自動で画質調整されるため、利用者が行った操作の反映が判別しづらいという問題がある。
【０００５】
従って、本発明の目的は、自動で画質調整する機能を有する場合であっても、利用者の操作に基づく画質調整の反映を利用者が容易に判別できる映像表示装置、及び映像表示方法を提供することにある。
【課題を解決するための手段】
【０００６】
（１）本発明は上記目的を達成するため、映像信号に基づいて第１の画質調整設定値を決定する自動画質調整部と、操作部の操作内容に基づいて第２の画質調整設定値を決定する利用者画質調整部と、前記第１の画質調整設定値、及び前記第２の画質調整設定値に基づいて、前記映像信号の画質調整を行う画質処理部と、前記利用者画質調整部が動作する時、前記利用者画質調整部の動作前の前記自動画質調整部の前記第１の画質調整設定値を保存するとともに前記自動画質調整部の動作を停止させ、前記利用者画質調整部の動作が完了した時、保存した前記第１の画質調整設定値とともに前記第２の画質調整設定値に基づいて前記画質処理部を動作させる制御部とを有することを特徴とする映像表示装置を提供する。
【０００７】
上記した構成によれば、利用者画質調整部が起動している間は、自動画質調整部の動作を一旦停止するため、利用者画質調整部を使用して画質調整している間に自動で画質調整されることがなく、利用者の操作によって設定された画質調整の反映の程度を容易に判別することができる。
【０００８】
（２）また、本発明は上記目的を達成するため、外部環境を計測して計測値を出力するセンサと、映像信号、及び前記センサの計測する前記計測値に基づいて第１の画質調整設定値を決定する自動画質調整部と、操作部の操作内容に基づいて第２の画質調整設定値を決定する利用者画質調整部と、前記第１の画質調整設定値、及び前記第２の画質調整設定値に基づいて、入力される映像信号の画質調整を行う画質処理部と、前記利用者画質調整部が動作する時、前記利用者画質調整部の動作前の前記自動画質調整部の前記第１の画質調整設定値を保存するとともに前記自動画質調整部の動作を停止させ、前記利用者画質調整部の動作が完了した時、保存した前記第１の画質調整設定値とともに前記第２の画質調整設定値に基づいて前記画質処理部を動作させる制御部とを有することを特徴とする映像表示装置を提供する。
【０００９】
上記した構成によれば、（１）の効果に加え、映像信号に加えセンサの計測値が自動画質調整部の調整判断として追加される。
【００１０】
（３）外部環境を計測して計測値を出力する計測ステップと、入力される映像信号、及び前記計測値に基づいて第１の画質調整設定値を決定する自動画質調整ステップと、前記自動画質調整ステップにおいて決定された前記第１の画質調整設定値を保存するとともに前記自動画質調整ステップを停止させる保存ステップと、操作部の操作内容に基づいて第２の画質調整設定値を決定する利用者画質調整ステップと、保存した前記第１の画質調整設定値とともに前記第２の画質調整設定値を適用する適用ステップと、入力される画質調整設定値に基づいて、前記映像信号の画質調整を行う画質処理ステップとを有することを特徴とする映像表示方法を提供する。
【００１１】
上記した方法によれば、（１）と同様の効果を得ることができる。
【発明の効果】
【００１２】
本発明によれば、利用者の操作に基づく画質調整の反映を利用者が容易に判別できる。
【発明を実施するための最良の形態】
【００１３】
以下に、本発明の映像表示装置、及び映像表示方法の実施の形態を、図面を参照して詳細に説明する。
【００１４】
［第１の実施の形態］
（映像表示装置の構成）
図１は、本発明の第１の実施の形態に係る映像表示装置を示す概略図である。
【００１５】
映像表示装置１は、図示しないアンテナを介して外部よりデジタル放送波等を受信して映像を表示したり、図示しないＨＤＤレコーダーやＤＶＤプレイヤー等の映像再生装置から映像信号を受信して映像を表示するテレビ受像器等であって、前面に映像を表示するＬＣＤ等から構成される映像表示部１４と、音声を出力するスピーカ部１６と、複数の操作スイッチを有するリモコン１Ａから送信される赤外線を用いた操作信号を受光する受光部２１と、外部環境の照度を測定するフォトダイオード等から構成される光センサ２２とを有する。また、映像表示装置１は、背面に図示しないアンテナ端子、外部入力端子、及び複数のスイッチからなる操作部等を有し、本体内部には映像信号や音声信号を処理したり各部を制御するためのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、及びＨＤＤ（Ｈａｒｄ  Ｄｉｓｃ  Ｄｒｉｖｅ）等からなる電子部品を有する。
【００１６】
図２は、本発明の第１の実施の形態に係る映像表示装置の構成例を示すブロック図である。
【００１７】
映像表示装置１は、デジタル放送局２から送信される放送信号を受信するデジタル放送受信部１０を備えており、この出力は信号処理部１１に接続されている。信号処理部１１は受信した放送信号を音声信号と映像信号に分離し、その出力はそれぞれ音声処理部１５と映像処理部１２とに接続されている。
【００１８】
音声処理部１５の出力はスピーカ部１６に接続され、映像処理部１２の出力は画質を調整をする画質処理部１３を介してＣＲＴや液晶表示器等で構成される映像表示部１４に接続されている。
【００１９】
また、映像表示装置１は、図示しない外部入力端子に接続された映像再生装置３から送信される映像信号、及び音声信号を受信する映像Ａ／Ｄ１７、及び音声Ａ／Ｄ１８を有し、映像Ａ／Ｄ１７、及び音声Ａ／Ｄ１８に入力された映像信号、及び音声信号はアナログ信号からデジタル信号へと変換され、それらの出力はそれぞれ映像処理部１２、及び音声処理部１５に接続される。
【００２０】
また、映像表示装置１は、図２において点線で示された制御線を介して各部を制御する制御部１９を有し、制御部１９には操作スイッチ等から構成される操作部２０と、リモコン１Ａの赤外線の操作信号を受光する受光部２１と、外部環境の照度を測定する光センサ２２とが接続される。
【００２１】
制御部１９は、各部を制御するためのプログラム等を格納するＲＯＭ１９Ａと、一時的に情報を格納して制御部１９の動作を補助するＲＡＭ１９Ｂと、ＲＯＭ１９Ａに格納されており制御部１９上において動作する自動画質調整部１９０、利用者画質調整部１９１、及び画質調整制御部１９２とを有する。
【００２２】
自動画質調整部１９０は、映像処理部１２に入力する映像信号に基づいて画質調整設定値を決定するとともに、光センサ２２において計測される外部環境照度に基づいて画質調整設定値を決定し、決定した画質調整設定値に基づいて画質処理部１３を制御する。なお、自動画質調整部１９０は、映像情報のフィールド単位の時間間隔で動作し、ダイナミックに入力する映像情報の画質を調整する。
【００２３】
利用者画質調整部１９１は、操作部２０又は受光部２１において受信する操作信号に基づいて画質調整設定値を決定し、決定した画質調整設定値に基づいて画質処理部１３を制御する。なお、利用者画質調整部１９１は、利用者によって画質調整操作を行われた時に、例えば、後述する画質調整用のメニュー（図３）を表示し、画質調整調整操作終了後は画質調整用のメニューにおいて決定した画質調整設定値を常時適用する。
【００２４】
画質調整制御部１９２は、自動画質調整部１９０、及び利用者画質調整部１９１の動作を制御する。画質調整制御部１９２の制御動作の詳細については、後述する。
【００２５】
図３は、本発明の第１の実施の形態に係る映像表示装置の表示内容を示す概略図である。
【００２６】
映像表示装置１は、操作部２０又はリモコン１Ａにおいて「静止画モード」に該当する操作がなされた時、映像表示部１４に静止画モード表示１４０を表示し、同時に利用者画質調整部１９１を起動することで利用者画質調整メニュー１４１を表示する。なお、静止画モード表示１４０の表示と、利用者画質調整メニュー１４１の表示とは、同時でなくとも、まず静止画モード表示１４０を表示させて、後に利用者画質調整メニュー１４０を表示するようにしてもよい。
【００２７】
静止画モード表示１４０とは、視聴中の映像のあるフレームを取得して静止画として映像表示部１４に表示し、画質調整を補助する表示モードである。利用者画質調整メニュー１４１は、例えばコントラスト、ブライトネス、シャープネス、カラー調整、ホワイトバランス、明度、ピント等のパラメーターを利用者の操作に基づいて任意に設定できる。
【００２８】
（動作）
以下に、本発明の第１の実施の形態における電子機器の動作を各図を参照しつつ説明する。
【００２９】
デジタル放送局２から送信されたデジタル放送波は、図示しないアンテナを介してデジタル放送受信部１０に入力される。
【００３０】
デジタル放送受信部１０では、地上波デジタル放送の変調方式に対応した復調器（図示せず）によって受信信号を復調し、例えば、ＭＰＥＧ２の規格に基づいたデータ列（トランスポートストリーム）を抽出し信号処理部１１へ出力する。
【００３１】
信号処理部１１へ入力されたデータ列（トランスポートストリーム）は、例えばＭＰＥＧ２デコーダ（図示せず）によって音声信号（デジタル）と映像信号（デジタル）とに分離され、音声信号は音声処理部１５へ、また映像信号は映像処理部１２へそれぞれ出力される。
【００３２】
音声処理部１５では、入力された音声信号（デジタル）をアナログ音声信号に変換する
処理等を行って、スピーカ部１６へ出力する。
【００３３】
また、映像処理部１２では、入力された映像信号（デジタル）のフレーム間差分を検出して映像ソースが２−３プルダウン処理された映画フィルムソースかそれ以外の通常の映像ソースかを判定するとともに、画質処理部１３において画質調整された後、必要に応じてアナログ信号等に変換してＣＲＴやＬＣＤ等で構成される映像表示部１４へ出力する。
【００３４】
図４は、本発明の第１の実施の形態に係る映像表示装置の動作例を示すフローチャートである。
【００３５】
画質調整制御部１９２は、利用者画質調整部１９１の動作を監視して、その動作モードを確認する（Ｓ１）。利用者画質調整部１９１が動作していない「通常時モード」である場合（Ｓ１；通常時モード）、自動画質調整部１９０の動作を続行させる（Ｓ２）。
【００３６】
また、利用者画質調整部１９１が起動する「調整時モード」である場合（Ｓ１；調整時モード）、利用者画質調整部１９１が起動する直前の自動画質調整部１９０の画質調整設定値を保存して自動画質調整部１９０の動作を停止する（Ｓ３）。
【００３７】
図５は、本発明の第１の実施の形態に係る映像表示装置の動作例を示すフローチャートである。
【００３８】
まず、画質調整制御部１９２は、操作部２０又はリモコン１Ａにおいて静止画モードへ移行するための「静止キー」が操作され、操作信号が入力したことを認識すると（Ｓ１０；Ｙｅｓ）、利用者画質調整部１９１を起動するとともに、自動画質調整部１９０を動作させる。
【００３９】
自動画質調整部１９０は、映像処理部１２に入力される映像情報が映画フィルムソースかどうかを問い合わせる（Ｓ１１）。映像処理部１２に入力される映像情報が映画フィルムソースである場合（Ｓ１１；Ｙｅｓ）、映画フィルムソース用の画質調整設定値を画質処理部１３へ出力する（Ｓ１２）。また、映像処理部１２に入力される映像情報が映画フィルムソースでない場合（Ｓ１１；Ｎｏ）、映画フィルムソース以外用の画質調整設定値を画質処理部１３へ出力する（Ｓ１３）。
【００４０】
次に、画質調整制御部１９２は、ステップＳ１２又はＳ１３において自動画質調整部１９０が出力した画質調整設定値を保存し（Ｓ１４）、自動画質調整部１９０の動作を停止した後（Ｓ１５）、映像処理部１２において入力する映像信号のフレームを取得して静止画モードにして映像表示部１４に静止画を表示する（Ｓ１６）。
【００４１】
次に、利用者が操作部２０又はリモコン１Ａを使用して図３に示す利用者画質調整メニュー１４１上で画質調整を完了して利用者画質調整部１９１を終了すると（Ｓ１７；Ｙｅｓ）、画質調整制御部１９２は、保存していた自動画質調整部１９０の画質調整設定値と、利用者画質調整部１９１において決定した画質調整設定値とを画質処理部１３に対して出力して適用する（Ｓ１８）。次に、自動画質調整部１９０の停止を解除して動作させる（Ｓ１９）。
【００４２】
なお、ステップＳ１０において、静止キーの操作によって図３に示す静止画モード表示１４０の表示を行い、利用者画質調整メニュー１４１を別の操作によって表示する場合は、ステップＳ１６の次に、利用者画質調整メニュー１４１の表示操作があった場合に利用者画質調整メニュー１４１の表示を行う。以上の動作を加えることで、静止画モード表示１４０を表示することで映画フィルムソースであるにもかかわらず映画フィルムソース以外であると映像処理部１２が誤検出することがなくなる。
【００４３】
（第１の実施の形態の効果）
上記した第１の実施の形態によると、利用者画質調整部１９１が起動している間は、自動画質調整部１９０の動作を一旦停止するため、利用者画質調整部１９１を使用して画質調整している間に自動で画質調整されることがなく、利用者の操作によって設定された画質調整の反映の程度を容易に判別することができる。
【００４４】
また、従来は映画フィルムソースにおいて、静止画モードにすると映像処理部１２が映画フィルムソースではない（２−３プルダウン処理された映像ソースではない）と判断するため、映画フィルムソースであるにもかかわらず映画フィルムソース用の画質調整設定値が適用されなかったが、本実施の形態においては、自動画質調整部１９０の動作を停止することで映画フィルムソース用の画質調整設定値を保持したまま利用者画質調整部１９１を動作させることができる。
【００４５】
［第２の実施の形態］
（動作）
図６は、本発明の第２の実施の形態に係る映像表示装置の動作例を示すフローチャートである。なお、以下の説明において、第１の実施の形態と同一の構成、及び機能を有する部分については共通の符号を付している。
【００４６】
まず、画質調整制御部１９２は、操作部２０又はリモコン１Ａにおいて利用者画質調整部１９１を起動するための「画質調整キー」が操作されたことを認識すると（Ｓ２０；Ｙｅｓ）、利用者画質調整部１９１を起動するとともに、自動画質調整部１９０を動作させる。
【００４７】
自動画質調整部１９０は、光センサ２２において計測される照度を問い合わせる（Ｓ２１）。光センサ２２において計測される照度がある閾値より大きい場合（Ｓ２１；明るい）、色温度を高めにするとともに利用者画質調整部１９１において設定可能なブライトネスの可変範囲を、例えば、ブライトネスの最大を１００として最小を０とした場合に、５０〜１００にするよう画質処理部１３へ出力する（Ｓ２２）。
【００４８】
また、光センサ２２において計測される照度がある閾値範囲にある場合（Ｓ２１；普通）、色温度を中間値にするとともに利用者画質調整部１９１において設定可能なブライトネスの可変範囲を３０〜７０にするよう画質処理部１３へ出力する（Ｓ３２）。光センサ２２において計測される照度がある閾値より小さい場合（Ｓ２１；暗い）、色温度を低めにするとともに利用者画質調整部１９１において設定可能なブライトネスの可変範囲を０〜４０にするよう画質処理部１３へ出力する（Ｓ２４）。なお、ブライトネスの設定値は一例である。
【００４９】
次に、画質調整制御部１９２は、ステップＳ２２〜Ｓ２４において自動画質調整部１９０が出力した画質調整設定値を保存し（Ｓ２５）、自動画質調整部１９０の動作を停止する（Ｓ２６）。
【００５０】
次に、利用者が操作部２０又はリモコン１Ａを使用して画質調整を完了して利用者画質調整部１９１を終了すると（Ｓ２７；Ｙｅｓ）、画質調整制御部１９２は、保存していた自動画質調整部１９０の画質調整設定値と、利用者画質調整部１９１において決定した画質調整設定値とを画質処理部１３に対して出力して適用する（Ｓ２８）。次に、自動画質調整部１９０の停止を解除して動作させる（Ｓ２９）。
【００５１】
（第２の実施の形態の効果）
上記した第２の実施の形態によると、第１の実施の形態と同様に、利用者画質調整部１９１が起動している間は、自動画質調整部１９０の動作を一旦停止するため、利用者画質調整部１９１を使用して画質調整している間に自動で画質調整されることがなく、利用者の操作によって設定された画質調整の反映の程度を容易に判別することができる。
【００５２】
また、第１の実施の形態と異なり、利用者画質調整部１９１が起動している間に、映像表示部１４に表示されるのは静止画ではなく動画であるが、自動画質調整部１９０の動作が停止されているため利用者が行った操作の反映の程度を容易に判別することができる。
【００５３】
なお、第１の実施の形態おける入力映像信号に基づく自動画質調整部１９０の動作と、第２の実施の形態における光センサ２２の計測値に基づく自動画質調整部１９０の動作とを同時に実行してもよい。また、第１の実施の形態における自動画質調整部１９０の動作は、静止画モードである場合に限らず、第２の実施の形態と同様に動画が映像表示部１４に表示されている場合も実行することができる。
【００５４】
また、光センサ２２は、外部に設けて計測した計測値を映像表示装置１が受信するように構成してもよい。また、光センサ２２に限らず、外部環境の色温度、音量レベル、温度、湿度、高度等の他の物理量を計測して自動画質調整部１９０を動作させてもよい。
【００５５】
また、画質調整に限らず、音声処理部１５において実行される音声調整の音声調整設定値を自動で決定する自動音声調整部と、利用者音声調整部とを設けて、同様に、利用者音声調整部を調整中は、自動音声調整部の設定値を保存して動作を停止し、利用者音声調整部の調整後に両者の設定値を音声処理部１５に適用するようにしてもよい。
【図面の簡単な説明】
【００５６】
【図１】本発明の第１の実施の形態に係る映像表示装置を示す概略図である。
【図２】本発明の第１の実施の形態に係る映像表示装置の構成例を示すブロック図である。
【図３】本発明の第１の実施の形態に係る映像表示装置の表示内容を示す概略図である。
【図４】本発明の第１の実施の形態に係る映像表示装置の動作例を示すフローチャートである。
【図５】本発明の第１の実施の形態に係る映像表示装置の動作例を示すフローチャートである。
【図６】本発明の第２の実施の形態に係る映像表示装置の動作例を示すフローチャートである。
【符号の説明】
【００５７】
１…映像表示装置、１Ａ…リモコン、２…デジタル放送局、３…映像再生装置、１０…デジタル放送受信部、１１…信号処理部、１２…映像処理部、１３…画質処理部、１４…映像表示部、１５…音声処理部、１６…スピーカ部、１７…映像Ａ／Ｄ、１８…音声Ａ／Ｄ、１９…制御部、１９Ａ…ＲＯＭ、１９Ｂ…ＲＡＭ、２０…操作部、２１…受光部、２２…光センサ、１４０…静止画モード表示、１４１…利用者画質調整メニュー、１９０…自動画質調整部、１９１…利用者画質調整部、１９２…画質調整制御部
【図１】
2009198653.tif 000003
【図２】
2009198653.tif 000004
【図３】
2009198653.tif 000005
【図４】
2009198653.tif 000006
【図５】
2009198653.tif 000007
【図６】
2009198653.tif 000008
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
映像信号に基づいて第１の画質調整設定値を決定する自動画質調整部と、
操作部の操作内容に基づいて第２の画質調整設定値を決定する利用者画質調整部と、
前記第１の画質調整設定値、及び前記第２の画質調整設定値に基づいて、前記映像信号の画質調整を行う画質処理部と、
前記利用者画質調整部が前記第２の画質調整値を決定する時、前記利用者画質調整部の動作前の前記自動画質調整部の前記第１の画質調整設定値を保存するとともに前記第２の画質調整値に基づいて前記画質処理部に画質調整を行わせ、前記操作部に対する操作が完了して、前記第２の画質調整値に基づく前記画質調整が停止した後、保存した前記第１の画質調整設定値とともに前記第２の画質調整設定値に基づいて前記画質処理部に画質調整を行うよう制御する制御部とを有することを特徴とする映像表示装置。
【請求項２】
前記制御部は、前記自動画質調整部の前記第１の画質調整設定値を保存した後、前記映像信号を静止画に変換することを特徴とする請求項１に記載の映像表示装置。
【請求項３】
前記自動画質調整部は、前記映像信号のフレーム間差分に基づいて前記第１の画質調整設定値を決定することを特徴とする請求項１に記載の映像表示装置。
【請求項４】
外部環境を計測して計測値を出力するセンサと、
映像信号、及び前記センサの計測する前記計測値に基づいて第１の画質調整設定値を決定する自動画質調整部と、
操作部の操作内容に基づいて第２の画質調整設定値を決定する利用者画質調整部と、
前記第１の画質調整設定値、及び前記第２の画質調整設定値に基づいて、入力される映像信号の画質調整を行う画質処理部と、
前記利用者画質調整部が前記第２の画質調整値を決定する時、前記利用者画質調整部の動作前の前記自動画質調整部の前記第１の画質調整設定値を保存するとともに前記第２の画質調整値に基づいて前記画質処理部に画質調整を行わせ、前記操作部に対する操作が完了して、前記第２の画質調整値に基づく前記画質調整が停止した後、保存した前記第１の画質調整設定値とともに前記第２の画質調整設定値に基づいて前記画質処理部に画質調整を行うよう制御する制御部とを有することを特徴とする映像表示装置。
【請求項５】
前記センサは、前記外部環境として照度を計測することを特徴とする請求項４に記載の映像表示装置。
【請求項６】
前記制御部は、前記自動画質調整部の前記第１の画質調整設定値を保存した後、前記映像信号を静止画に変換することを特徴とする請求項４に記載の映像表示装置。
【請求項７】
前記自動画質調整部は、前記映像信号のフレーム間差分に基づいて前記第１の画質調整設定値を決定することを特徴とする請求項４に記載の映像表示装置。
【請求項８】
前記画質処理部が出力する映像信号を表示する表示部をさらに有することを特徴とする請求項１又は請求項４に記載の映像表示装置。
【請求項９】
外部環境を計測して計測値を出力する計測ステップと、
入力される映像信号、及び前記計測値に基づいて第１の画質調整設定値を決定する自動画質調整ステップと、
前記自動画質調整ステップにおいて決定された前記第１の画質調整設定値を保存するとともに前記自動画質調整ステップを停止させる保存ステップと、
操作部の操作内容に基づいて第２の画質調整設定値を決定する利用者画質調整ステップと、
保存した前記第１の画質調整設定値とともに前記第２の画質調整設定値を適用する適用ステップと、
入力される画質調整設定値に基づいて、前記映像信号の画質調整を行う画質処理ステップとを有することを特徴とする映像表示方法。
【手続補正２】
【補正対象書類名】明細書
【補正対象項目名】０００６
【補正方法】変更
【補正の内容】
【０００６】
（１）本発明は、上記目的を達成するため、映像信号に基づいて第１の画質調整設定値を決定する自動画質調整部と、操作部の操作内容に基づいて第２の画質調整設定値を決定する利用者画質調整部と、前記第１の画質調整設定値、及び前記第２の画質調整設定値に基づいて、前記映像信号の画質調整を行う画質処理部と、前記利用者画質調整部が前記第２の画質調整値を決定する時、前記利用者画質調整部の動作前の前記自動画質調整部の前記第１の画質調整設定値を保存するとともに前記第２の画質調整値に基づいて前記画質処理部に画質調整を行わせ、前記操作部に対する操作が完了して、前記第２の画質調整値に基づく前記画質調整が停止した後、保存した前記第１の画質調整設定値とともに前記第２の画質調整設定値に基づいて前記画質処理部に画質調整を行うよう制御する制御部とを有することを特徴とする映像表示装置を提供する。
【手続補正３】
【補正対象書類名】明細書
【補正対象項目名】０００８
【補正方法】変更
【補正の内容】
【０００８】
（２）本発明は、上記目的を達成するため、外部環境を計測して計測値を出力するセンサと、映像信号、及び前記センサの計測する前記計測値に基づいて第１の画質調整設定値を決定する自動画質調整部と、操作部の操作内容に基づいて第２の画質調整設定値を決定する利用者画質調整部と、前記第１の画質調整設定値、及び前記第２の画質調整設定値に基づいて、入力される映像信号の画質調整を行う画質処理部と、前記利用者画質調整部が前記第２の画質調整値を決定する時、前記利用者画質調整部の動作前の前記自動画質調整部の前記第１の画質調整設定値を保存するとともに前記第２の画質調整値に基づいて前記画質処理部に画質調整を行わせ、前記操作部に対する操作が完了して、前記第２の画質調整値に基づく前記画質調整が停止した後、保存した前記第１の画質調整設定値とともに前記第２の画質調整設定値に基づいて前記画質処理部に画質調整を行うよう制御する制御部とを有することを特徴とする映像表示装置を提供する。